(57)【特許請求の範囲】
【請求項１】
本体ハウジング（１２）内にシリンダ（２１）を横置きとし、その頭部（２０ａ）を後方に向けて空冷内燃エンジン（２０）が搭載されるとともに、前記本体ハウジング（１２）の一側部（１２Ｌ）に前記内燃エンジン（２０）により駆動される冷却ファン（２５）が配設されている携帯型動力作業機（１０）であって、
前記本体ハウジング（１２）の前記一側部（１２Ｌ）における前記冷却ファン（２５）より後方側に、冷却風を前記シリンダ（２１）に案内すべく導風リブ（２８）が内方に向けて突設されるとともに、前記内燃エンジン（２０）の吸気系（３０、３４、３５）に空気を導くための吸入通路部（５０）が画成され、前記導風リブ（２８）の気流の陰となる後面側根本（２８ａ）付近に前記吸入通路部（５０）の吸入口（５５）が開口せしめられていることを特徴とする携帯型動力作業機。
【請求項２】
前記導風リブ（２８）は、前記本体ハウジング（１２）の外装カバー（１５）より内側に配在されたファンカバー（２７）に設けられていることを特徴とする請求項１に記載の携帯型動力作業機。
【請求項３】
前記外装カバー（１５）と前記ファンカバー（２７）とで前記吸入通路部（５０）が画成されていて、前記ファンカバー（２７）に前記吸入口（５５）が形成されていることを特徴とする請求項１又は２に記載の携帯型動力作業機。
【請求項４】
前記吸入通路部（５０）の始端部（５１）は、前記本体ハウジング（１２）の底部近くに配在され、前記始端部（５１）付近に前記吸入口（５５）が内方に向けて開口せしめられていることを特徴とする請求項１から３のいずれか一項に記載の携帯型動力作業機。
【請求項５】
前記吸入口（５５）から吸入された空気は、前記吸入通路部（５０）及びエアークリーナ（３０）を介して気化器室（３４）に導かれるようにされていることを特徴とする請求項１から４のいずれか一項に記載の携帯型動力作業機。
【請求項６】
前記エアークリーナ（３０）は、蓋状をしており、そのフィルタ部（３２）を仕切壁として前記気化器室（３４）に連接されるとともに、前記本体ハウジング（１２）の後部（１２Ｂ）に着脱可能に装着されていることを特徴とする請求項１から５のいずれか一項に記載の携帯型動力作業機。
【請求項７】
前記本体ハウジング（１２）の前記一側部（１２Ｌ）とは反対側の他側部（１２Ｒ）に、作業部材としてソーチェーン（１０２）とガイドバー（１０１）とからなるソーチェーンセット（１００）が取り付けられていることを特徴とする請求項１から６のいずれか一項に記載の携帯型動力作業機。
【発明の詳細な説明】
【０００１】
【発明の属する技術分野】
本発明は、作業部材駆動用の動力源として内燃エンジンが搭載されている、チェーンソー、エンジンカッター、ヘッジトリマー等の携帯型動力作業機に係り、特に、前記内燃エンジンの吸気系に配備されるエアークリーナの、塵埃による目詰まりを可及的に低減するとともに、前記内燃エンジンの冷却性能を効果的に向上させることができる携帯型動力作業機に関する。
【０００２】
【従来の技術】
チェーンソー等の携帯型動力作業機にあっては、通常、本体ハウジング内に、ソーチェーン等の作業部材を駆動するための動力源として小型空冷内燃エンジンが搭載されるとともに、前記本体ハウジングの一側部に前記内燃エンジンにより駆動される冷却ファンが配設され、この冷却ファンにより前記本体ハウジング内に吸入された空気を前記内燃エンジン（のシリンダ部）に吹き付けるように流すととともに、外気を、エアークリーナ、気化器室、及び気化器を介して前記内燃エンジンに吸入させるようになっている。
【０００３】
【発明が解決しようとする課題】
前記した如くの携帯型動力作業機においては、前記冷却ファンにより前記本体ハウジング内に吸入される空気によって如何に効率良く前記内燃エンジンを冷却するかが重要な課題となっている。
それに加えて、前記携帯型動力作業機においては、作業時には、比較的大きな鋸屑、切り粉、砂塵等の塵埃が発生することが避けられず、この塵埃が空気と共に前記内燃エンジンの吸気系に吸い込まれ、エアークリーナ（のフィルタ部分）に付着して、早期に目詰まりを引き起こし、吸入空気量不足等による内燃エンジンの変調、性能低下を招くおそれがある。そのため、当該携帯型動力作業機においては、前記エアークリーナ等の清掃を頻繁に行わなくてはならず、その作業が煩わしいという問題があった。
【０００４】
本発明は、前記した如くの問題に鑑みてなされたもので、その目的とするところは、作業部駆動用動力源として搭載されている内燃エンジンの冷却性能を効果的に向上できるとともに、前記内燃エンジンの吸気系に備えられるエアークリーナの目詰まりを可及的に低減できるようにされた携帯型動力作業機を提供することにある。
【０００５】
【課題を解決するための手段】
前記の目的を達成すべく、本発明に係る携帯型動力作業機は、基本的には、本体ハウジング内にシリンダを横置きとし、その頭部を後方に向けて空冷内燃エンジンが搭載されるとともに、前記本体ハウジングの一側部に前記内燃エンジンにより駆動される冷却ファンが配設され、前記本体ハウジングの前記一側部における前記冷却ファンより後方側に、冷却風を前記シリンダに案内すべく導風リブが内方に向けて突設されるとともに、前記内燃エンジンの吸気系に空気を導くための吸入通路部が画成され、前記導風リブの気流の陰となる後面側根本付近に前記吸入通路部の吸入口が開口せしめられていることを特徴としている。
【０００６】
前記導風リブは、好ましくは、前記本体ハウジングの外装カバーより内側に配在されたファンカバーに設けられる。
好ましい態様では、前記外装カバーと前記ファンカバーとで前記吸入通路部が画成されていて、前記ファンカバーに前記吸入口が形成される。
また、前記吸入通路部の始端部は、好ましくは、前記本体ハウジングの底部近くに配在され、前記始端部付近に前記吸入口が内方に向けて開口せしめられる。他の好ましい態様では、前記吸入口から吸入された空気は、前記吸入通路部及びエアークリーナを介して気化器室に導かれるようにされる。
【０００７】
前記エアークリーナは、好ましくは、蓋状をしており、そのフィルタ部を仕切壁として前記気化器室に連接されるとともに、前記本体ハウジングの後部に着脱可能に装着される。
なお、本発明が適用される携帯型動力作業機としては、前記本体ハウジングの前記一側部とは反対側の他側部に、作業部材としてソーチェーンとガイドバーとからなるソーチェーンセットが取り付けられている、作業時には大鋸屑等の塵埃が大量に発生しやすいチェーンソーが代表して挙げられる。
【０００８】
このような構成とされた本発明に係る携帯型動力作業機の好ましい態様においては、冷却ファンにより本体ハウジング内に吸入された外部の空気は、ファンカバーに設けられた導風リブにより、最も冷却することが必要とされるシリンダに向かうように確実に案内され、そこを冷却した後、本体ハウジングに設けられた排風口から外部に排出される。また、前記本体ハウジング内に吸入された空気の一部は、吸入通路部、エアークリーナ、気化器室、及び気化器を介して前記内燃エンジンに吸入される。
【０００９】
ここで、前記冷却ファンにより前記本体ハウジング内に吸入された空気に多量の塵埃が混ざっていても、該塵埃が混ざっている空気は、前記導風リブの作用により前記シリンダ方向に向けて集中的に案内されるので、塵埃は前記導風リブの後面側根本付近（ファンカバー側）にはほとんど回って来ない。そのため、前記導風リブの気流の陰となる後面側根本付近に開口せしめられている吸入口から吸入されて、吸入通路部、エアークリーナを介して気化器室に導かれる空気には塵埃がほとんど含まれない。
【００１０】
したがって、本発明の携帯型動力作業機では、導風リブを設けてその後面側根元付近に吸入口を形成したことで、内燃エンジンの冷却性能を効果的に向上できるとともに、前記内燃エンジンの吸気系に備えられるエアークリーナの目詰まりを可及的に低減でき、該エアークリーナの清掃を頻繁に行わなくて済む。
【００１１】
【発明の実施の形態】
以下に添付図面を参照して本発明の実施形態を詳細に説明する。
図１、図２は、それぞれ本発明に係る携帯型動力作業機の一つであるチェーンソーの一実施形態を示す部分切欠平面図、部分切欠左側面図である。
図示のチェーンソー１０は、作業部駆動用動力源として、小型空冷２サイクルガソリンエンジン（以下、内燃エンジンと称す）２０が、合成樹脂からなる本体ハウジング１２内に、シリンダ２１を横置きとし、その吸気口２２を上側にし、かつ、頭部２０ａを後方に向け、図示しない防振機構を介して搭載されている。前記内燃エンジン２０の前記頭部２０ａには、斜め後外方に傾斜して点火プラグ２４が装着されている。
【００１２】
前記本体ハウジング１２の右側部１２Ｒには、前記内燃エンジン２０の出力部材である、図示しない遠心クラッチ部を覆うクラッチカバー１６が取り付けられ、その内部において、前記内燃エンジン２０の前部側に、作業部材として、ガイドバー１０１とこれに摺動自在に掛け回されるソーチェーン１０２とからなるソーチェーンセット１００が取り付けられ、前記ソーチェーン１０２を前記内燃エンジン２０により回転駆動するようにされている。
【００１３】
また、前記本体ハウジング１２の左側部１２Ｌには、前記内燃エンジン２０により駆動される冷却ファン２５が配設され、この冷却ファン２５を覆うように、前記左側部１２Ｌには空気取入用スリット１５ａが適数形成された外装カバーとしてのリコイルスタータケース１５が取り付けられている。
【００１４】
一方、前記本体ハウジング１２の上面部１２Ｓには、スロットルロックレバー４５やスロットルトリガー４６が組み込まれた側面視冖形のトップハンドル４０が配設され、その前部側にハンドガード４８が配設されるとともに、補助ハンドル４７が後下方に傾斜して配設されている。前記トップハンドル４０の後側縦辺部４２は、他の辺部より平面視幅広の箱形形状とされている。
【００１５】
前記内燃エンジン２０の前記吸気口２２には、可撓性連結管３８を介して気化器室３４内に取着されたダイヤフラム式気化器３５が連結されるとともに、前記気化器室３４にエアークリーナ３０が連接されている。前記気化器３５及び前記気化器室３４は、前記トップハンドル４０の前記後側縦辺部４２内に配在されている。前記エアークリーナ３０は、蓋状をしており、そのフィルタ部３２を仕切壁として前記気化器室３４に連接されるとともに、前記本体ハウジング１２の後部１２Ｂに、ねじ部材３７により着脱可能に装着保持されている。
【００１６】
そして、本実施形態においては、前記本体ハウジング１２の前記左側部１２Ｌを形成する前記リコイルスタータケース１５より内側に、吸気口２７ａを有するファンカバー２７が設けられており、図１、図２に加えて図３を参照すればよくわかるように、該ファンカバー２７における前記冷却ファン２５より後方側に、冷却風を前記シリンダ２１に案内すべく横断面外形が山形状の導風リブ２８が内方に向けて突設されるとともに、前記リコイルスタータケース１５と前記ファンカバー２７とで、空気を前記気化器室３４に導くための断面概略矩形で左側面視逆Ｌ形状の吸入通路部５０が画成され、該吸入通路部５０における前記導風リブ２８の後面側根本２８ａ付近に矩形の吸入口５５が開口せしめられている。
【００１７】
より詳細には、前記吸入通路部５０の始端部５１は、前記本体ハウジング１２の底部近くに配在され、前記ファンカバー２７における前記始端部５１付近に前記吸入口５５が内方に向けて（略垂直に）開口せしめられ、該吸入口５１から吸入された空気は、前記吸入通路部５０及び前記本体ハウジング１２の前記後部１２Ｂの左下部に配在された可撓性のベローズ３６を介して前記エアークリーナ３０の内部のエアークリーナ室３１に導かれる。該エアークリーナ室３１に導かれた空気は、前記フィルタ部３２でその中に含まれる塵埃が除去された後、前記気化器室３４に導入され、以後、前記気化器３５、前記連結管３８及び前記吸気口２２を介して、前記内燃エンジン２０に吸入される。
【００１８】
このような構成とされた本実施形態のチェーンソー１０においては、前記冷却ファン２５により前記本体ハウジング１２内に吸入された空気は、前記ファンカバー２７に設けられた前記導風リブ２８により、最も冷却することが必要とされるシリンダ２１部に集中的に向かうように案内され、そこを冷却した後、前記本体ハウジング１２に設けられた排風口（図示せず）から外部に排出される。また、前記本体ハウジング１２内に吸入された空気の一部は、前記吸入口５５から前記吸入通路部５０、前記エアークリーナ３０、前記気化器室３４、及び前記気化器３５を介して前記内燃エンジン２０に吸入される。
【００１９】
ここで、前記冷却ファン２５により前記本体ハウジング１２内に吸入された空気に多量の塵埃が混ざっていても、該塵埃が混ざっている空気は、前記導風リブ２８の作用により前記シリンダ２１に集中的に吹き付けられ、前記導風リブ２８の前記後面側根本２８ａ付近（前記ファンカバー２７側）はその気流の陰となって、塵埃はほとんど回って来ない。そのため、前記導風リブ２８の前記後面側根本２８ａ付近に開口せしめられている前記吸入口５５から吸入されて前記エアークリーナ３０に導かれる空気には、塵埃がほとんど含まれない。
したがって、本実施形態のチェーンソー１０では、ファンカバー２７に導風リブ２８を設けてその後面側根本２８ａ付近に吸入口５５を形成したことで、内燃エンジン２０の冷却性能を効果的に向上できるとともに、前記内燃エンジン２０の吸気系に備えられるエアークリーナ３０の目詰まりを可及的に低減でき、該エアークリーナ３０の清掃を頻繁に行わなくて済む。
【００２０】
以上、本発明の一実施形態について説明したが、本発明は前記実施形態に限定されるものではなく、特許請求の範囲に記載されている発明の精神を逸脱しない範囲で、設計において適宜変更できるものである。
例えば、前記実施形態においては、本発明をチェーンソーに適用した場合を説明したが、携帯型動力作業機としては、チェーンソーの他に、エンジンカッターやヘッジトリマー等にも本発明を同様に適用できる。
【００２１】
【発明の効果】
以上の説明から理解されるように、本発明に係る携帯型動力作業機は、作業部駆動用動力源として搭載されている内燃エンジンの冷却性能を効果的に向上できるとともに、内燃エンジンの吸気系に備えられるエアークリーナの目詰まりを可及的に低減でき、エアークリーナの清掃を頻繁に行わなくて済むという効果を奏する。
【図面の簡単な説明】
【図１】本発明に係る携帯型動力作業機としてのチェーンソーの一実施形態を示す部分切欠平面図。
【図２】図１に示されるチェーンソーの部分切欠左側面図。
【図３】図１に示されるチェーンソーに備えられる導風リブ及び吸入通路部を拡大して示す切欠斜視図。
【符号の説明】
１０    チェーンソー（携帯型動力作業機）
１２    本体ハウジング
１２Ｂ  後部
１２Ｌ  左側部（一側部）
１２Ｒ  右側部（他側部）
１５    リコイルスタータケース（外装カバー）
２０    小型空冷２サイクルガソリンエンジン（空冷内燃エンジン）
２０ａ  頭部
２１    シリンダ
２５    冷却ファン
２７    ファンカバー
２８    導風リブ
２８ａ  後面側根本
３０    エアークリーナ（吸気系）
３２    フィルタ部
３４    気化器室（吸気系）
３５    気化器（吸気系）
５０    吸入通路部
５１    始端部
５５    吸入口
１００  ソーチェーンセット（作業部材）
１０１  ガイドバー
１０２  ソーチェーン
【図１】
0003587825.tif 000002
【図２】
0003587825.tif 000003
【図３】
0003587825.tif 000004